(57)【要約】【課題】除霜に係る熱交換器の周囲雰囲気を攪拌することなく、除霜時間の短縮化等を図ることができる熱交換ユニット等を得る。【解決手段】冷媒と空気との熱交換を行うための熱源側熱交換器１６と、熱源側熱交換器１６を通過する空気の流れを形成する可変式送風機１７と、他の熱源側熱交換器１６が除霜を行っていると判断すると、可変式送風機１７の風量を抑制させる抑制制御を行う制御装置５０とを備えるものである。【選択図】図２
2012067983.tif 000002
【特許請求の範囲】
【請求項１】
冷媒と空気との熱交換を行うための熱交換器と、
該熱交換器を通過する空気の流れを形成する送風機と、
他の熱交換器が除霜を行っていると判断すると、前記送風機の風量を抑制させる抑制制御を行う制御装置と
を備えることを特徴とする熱交換ユニット。
【請求項２】
前記制御装置は、前記抑制制御においては、最大出力の７０パーセント以下の出力となるように前記送風機を制御することを特徴とする請求項１記載の熱交換ユニット。
【請求項３】
前記制御装置は、蒸発器として機能している前記熱交換器に対応する送風機に対して、前記抑制制御を行うことを特徴とする請求項１または２記載の熱交換ユニット。
【請求項４】
前記制御装置は計時手段を有し、
該計時手段の計時に基づいて、前記熱交換器における前回除霜が終了してからの運転時間が所定の時間以上であると判断すると、その熱交換器に対応する送風機に対して前記抑制制御を行わないことを特徴とする請求項１〜３のいずれかに記載の熱交換ユニット。
【請求項５】
前記制御装置は、前記他の熱交換器における除霜が終了したものと判断すると、前記抑制制御を解除処理することを特徴とする請求項１〜４のいずれかに記載の熱交換ユニット。
【請求項６】
外気の温度を検出するための外気温度センサをさらに備え、
前記制御装置は、外気温度センサの検出に係る外気の温度に基づき、外気の温度と標準除霜時間との関係を定めたデータから標準除霜時間を決定し、除霜に係る時間が前記標準除霜時間以内であると判断すると、次の除霜において前記抑制制御が行われないようにすることを特徴とする請求項１〜５のいずれかに記載の熱交換ユニット。
【請求項７】
前記熱交換器に付いた霜の状態を検知するための霜検知装置をさらに備え、
前記制御装置は、前記他の熱交換器における前記検知装置の検知に基づいて除霜が行われているかどうかを判断することを特徴とする請求項１〜６のいずれかに記載の熱交換ユニット。
【請求項８】
前記霜検知装置は、
除霜時に前記熱交換器を通過した冷媒の温度を信号として送る温度センサ、除霜時に前記熱交換器を通過した冷媒の温度が所定の温度になると信号を送る温度スイッチ又は発光素子が発した光の前記熱交換器表面における反射光の強さを信号として送る光学センサのうちの少なくとも１つであることを特徴とする請求項７記載の熱交換ユニット。
【請求項９】
複数のユニット間で交互除霜を行うことを特徴とする請求項１〜８のいずれかに記載の熱交換ユニット。
【請求項１０】
複数のユニット間におけて、除霜に係る通信を無線で行うことを特徴とする請求項１〜９のいずれかに記載の熱交換ユニット。
【請求項１１】
冷媒を圧縮する圧縮機と、
前記冷媒を凝縮させる凝縮器と、
前記冷媒の圧力調整をするための減圧装置と、
請求項１〜１０のいずれかに記載の熱交換ユニットが有する熱交換器により構成する蒸発器と
を配管接続して冷媒回路を構成する冷凍サイクル装置。
【発明の詳細な説明】
【技術分野】
【０００１】
この発明は、給湯装置、冷凍空調装置等の冷凍サイクル装置（ヒートポンプ装置）を構成する熱交換器と、熱交換器における熱交換を促すための送風機とを少なくとも有する熱交換ユニット等に係るものである。例えば、熱交換ユニットが複数台設置されている環境において、一部のユニットが除霜を行う場合の他のユニットにおける動作制御等に関するものである。
【背景技術】
【０００２】
冷凍サイクル装置では、圧縮機、凝縮器となる熱交換器、膨張弁となる流量調整弁及び蒸発器となる熱交換器を配管接続して冷媒回路を構成し、冷媒を循環させて、対象物、対象空間の加熱、冷却等を行っている。このとき、例えば、給湯装置では、給湯ユニットが熱交換器等の冷媒回路を構成する機器を収容している。また、冷凍空調装置等では、圧縮機と熱源側熱交換器（室外熱交換器）とを有する熱源機となるユニットと、流量調整弁と負荷側熱交換器（室内熱交換器）とを有する負荷側装置となるユニットとに分けて冷媒回路を構成する機器を収容する場合もある。
【０００３】
このような冷凍サイクル装置において、例えば蒸発器となる熱交換器内の配管を低温の冷媒が通過し、配管を介して冷媒と空気とが熱交換すると、空気が冷やされ、空気中の水分がフィンもしくは伝熱管で凝結して霜となる。霜が堆積する（着霜する）と、空気との熱交換がうまく行われなくなるため、冷凍サイクル装置では、熱交換器に付着した霜を除く除霜運転を例えば定期的に行う。
【０００４】
ここで、従来、例えば冷凍空調装置の熱源機が複数台設置された状態において、除霜時間を最短にする目的で除霜をする場合には、すべての熱交換器に対して除霜を同時に行う同時除霜を行うようにしている。一方、室温等の維持をしたまま除霜を行うことを目的とする場合は一部の熱交換器に対して除霜を行い、残りの一部又は全部の熱交換器は通常運転を続ける交互除霜を行うようにしている（例えば、特許文献１参照）。
【０００５】
例えば、同時除霜を行う場合にはユニットが有する送風機を全て停止させた状態で除霜を行う。このとき、熱交換器の周囲雰囲気は攪拌されないため、周囲雰囲気温度の上昇がはやく、その分、除霜時間は短くなる。しかし、除霜中はどの室外機も室内機に熱量を供給しない為に水温や室温が下がる。一方、複数台のユニットにより交互除霜を行う場合は、通常の運転を行う熱源機があるため、水温や室温を維持したまま、除霜運転を行うことができる。
【０００６】
例えば、ショーケースやユニットクーラなど、対象品の冷却等を目的とする負荷側装置のようなユニットにおいても除霜が必要となる場合がある。このようなユニットでは同時除霜を行うと、対象品の温度や庫内温度が上昇する為、交互除霜を行い、品温・庫内温度の安定化を図っている（例えば、特許文献２参照）。
【先行技術文献】
【特許文献】
【０００７】
【特許文献１】特開昭６１-２３１３７８号公報（図１）
【特許文献２】特許第１６８３５５７号公報
【発明の概要】
【発明が解決しようとする課題】
【０００８】
上記のような交互除霜を行う場合、除霜運転を行っていない熱交換ユニットでは、通常運転を行っており、送風機を駆動して、冷媒との熱交換を行うための空気の吸込み（吸気）及び吹出し（排気）をしている。このため、例えば隣接している熱交換器に係る送風機により発生する風の干渉（ショートサイクル）を受け、周囲雰囲気が攪拌されるため、除霜に係る熱交換ユニット等では周囲ユニットの影響を受け、水温や暖房吹出し温度が上がるまで時間がかかったり、霜の溶け残りが発生して、除霜運転時間が長くなる。
【０００９】
そこで、従来においては、他の熱交換器に係る送風機による風の影響を受けない距離まで、例えば熱交換器間の距離を離して設置するという対策が行われていた。また、パネルなどを設置して風の影響をできる限り受けないようにするため、吸込み風向や吹出し風向を制限して風を遮る対策も行われていた。さらに、風の影響を受けながらでも熱交換器への加熱時間を長く確保することで、霜の溶け残りが起こらないようにして除霜を行うなどの制御的な対策等も行われていた。
【００１０】
しかし、例えば距離を離す場合は、十分な設置スペースを確保する必要がある。また、パネルを取りつける場合は、別途新たな部材を準備しなければならず、さらにパネルを取り付けるためのスペースや手間が必要となる。また、制御的な対策を行う場合には、風が無い状態以上に加熱する必要があるため、除霜時間が長くなり、また、不要な電力を消費するなどの問題があった。
【００１１】
この発明は、上記のような課題を解決するためになされたもので、例えば、除霜に係る熱交換器の周囲雰囲気を攪拌することなく、除霜時間の短縮化等を図ることができる熱交換ユニット等を得ることを目的とする。
【課題を解決するための手段】
【００１２】
この発明に係る熱交換ユニットは、冷媒と空気との熱交換を行うための熱交換器と、熱交換器を通過する空気の流れを形成する送風機と、他の熱交換器が除霜を行っていると判断すると、送風機の風量を抑制させる抑制制御を行う制御装置とを備えるものである。
【発明の効果】
【００１３】
この発明の効果は、制御装置が、他の熱交換器において除霜が行われていると判断すると、送風機による風量を抑制する抑制制御を行うようにしたので、例えば交互除霜を行う際、除霜に係る熱交換器の周囲雰囲気を攪拌しないようにして除霜をはやく終了させて通常の運転に戻すことができる。このため、装置（システム）全体として運転効率を高めることができ、性能の向上を図ることができる。
【図面の簡単な説明】
【００１４】
【図１】この発明の実施の形態１における給湯ユニットの設置状態を表す図である。
【図２】給湯ユニット１００における機器構成等を表す図である。
【図３】熱交換器を通過する風量とＣＯＰとの関係を表す図である。
【図４】交互除霜において行う処理のフローチャートを表す図である。
【図５】運転時間と能力との関係を表す図である。
【図６】除霜運転時の熱交換器における温度変化を表す図である。
【図７】本発明の実施の形態６に係る負荷側装置３００の構成を表す図である。
【図８】本発明の実施の形態７に係るユニットの設置形態を表す図である。
【発明を実施するための形態】
【００１５】
実施の形態１．
図１はこの発明の実施の形態１における給湯ユニットの外形を示す外観図である。本実施の形態１においては、同一架台上に２つのヒートポンプシステム（冷媒回路）を構成する機器を有する給湯ユニット１００を例に説明する。
【００１６】
図２は給湯ユニット１００におけるヒートポンプシステムの機器構成等を表す図である。本実施の形態の給湯ユニット１００は、独立した２つの冷媒回路Ａ及び冷媒回路Ｂを有している。各冷媒回路が独立しているため、除霜が必要な熱源側熱交換器１６Ａ、１６Ｂとその熱交換器に空気を送り込む可変式送風機１７Ａ、１７Ｂとを有している（給湯ユニット１００内に２つの熱交換ユニットを有していることになる）。そして、各冷媒回路内の熱源側熱交換器１６Ａ、１６Ｂに対して任意のタイミングで交互除霜を行うことができる。本実施の形態の給湯ユニット１００は、各冷媒回路に係る機器をそれぞれ筐体２００Ａ、２００Ｂに分けて設置しているものとする。以下、特に区別する必要がない場合は同種の機器について、添字を省略した記載により説明を行う場合がある。
【００１７】
図２に示すように、本実施の形態の給湯ユニット１００においては、圧縮機１１、四方切り替え弁１２、負荷側熱交換器１３、膨張弁１４、温度センサ１５、熱源側熱交換器１６及び可変式送風機１７により各冷媒回路を構成する。圧縮機１１は、吸入した冷媒を圧縮して吐出する。ここで、特に限定するものではないが、圧縮機１１は、例えばインバータ回路等により、運転周波数を任意に変化させることで、圧縮機１１の容量（単位時間あたりの冷媒を送り出す量）を変化させることができるようにしてもよい。四方切り替え弁１２は、冷媒の流れを切り替えるための切り替え手段となる弁である。本実施の形態では、圧縮機１１からの高温のガス（気体）状冷媒（ホットガス）を熱源側熱交換器１６に通過させて冷媒を循環させ、除霜を行う除霜運転を行うものとする。このため、例えば給湯運転時と除霜運転時とによって冷媒の流れを切り替え、給湯運転時には負荷側熱交換器１３側にホットガスが流れるようにし、除霜運転時には熱源側熱交換器１６側にホットガスが流れるようにする。
【００１８】
また、負荷側熱交換器１３は、本実施の形態では凝縮器として機能し、冷媒と水との熱交換を行って水を加熱し、冷媒を凝縮して液化させる。流量調整弁、絞り装置となる膨張弁１４は、冷媒を減圧して膨張させ、また、負荷側熱交換器１３を通過する冷媒量、圧力を調整する。
【００１９】
温度センサ１５は、本実施の形態においては、除霜運転時において熱源側熱交換器１６を通過した冷媒の温度を検出し、温度信号を送信する。温度センサ１５の検出に係る温度信号は、温度センサ伝送線３０を介して制御装置５０に送られる。熱源側熱交換器１６は、例えば複数のフィンと伝熱管とを有するプレートフィンチューブ熱交換器であり、冷媒と空気（室外の空気）との熱交換を行う。本実施の形態では、蒸発器として機能し、冷媒を蒸発させ、気化させる。可変式送風機１７は、例えばプロペラファン等を有し、熱源側熱交換器１６における冷媒と空気との熱交換を促すために駆動して熱源側熱交換器１６に空気を送り込む。ここで、可変式送風機１７は、インバータ回路等を有し、送風機制御線３１を介した制御装置５０からの指示信号に基づいてプロペラファンの回転数を変化させることができる。これにより、熱源側熱交換器１６に送り込む風量を変化させることができる。
【００２０】
制御装置５０は、給湯ユニット１００を構成する各機器の制御を行う。このため、２つの冷媒回路の運転制御を行う。特に本実施の形態では、交互除霜の際に給湯運転を行っている冷媒回路に係る可変式送風機１７に対する制御を行う。ここで、制御装置５０は、タイマ等の計時手段（図示せず）を有しているものとする。ユニット間通信線６０は、例えば給湯装置が複数の給湯ユニット１００を有している場合に、各給湯ユニット１００の制御装置５０間で信号の送受（通信）を行う場合の通信線である。
【００２１】
図３は熱交換器を通過する風量とＣＯＰとの関係を表す図である。本実施の形態では、給湯ユニット１００において交互除霜を行う。例えば、一般的の制御で交互除霜を行うと、筐体２００間が１０ｃｍ以下の場合、除霜時間が約１分長くなる。また、他の条件等によるが、加熱能力及び能力に係るＣＯＰが最大約４％低下する。
【００２２】
そこで、本実施の形態の給湯ユニット１００では、除霜運転に係る熱源側熱交換器１６の周囲雰囲気が攪拌してしまって除霜時間が長くならないようにする。このため、給湯運転を継続する冷媒回路側の可変式送風機１７による空気の吸込み、吹出しに係る風量を制限する。
【００２３】
給湯運転を継続する冷媒回路においては、風量が制限により少なくなることで、冷媒と空気の熱交換効率が低下するため、ＣＯＰは若干は低くなる。ただ、筐体２００間が１０ｃｍ以内の場合、例えば図３に示すように、給湯運転に係る可変式送風機１７の風量を最大出力における風量の約７０％としても、給湯運転に係るＣＯＰをほぼ同等（風量が１００％のＣＯＰの約９９．６％）のものとすることができる。このため、適切な風量に抑制制御すれば、運転の効率を下げることなく、除霜運転に係る熱源側熱交換器１６における除霜時間を長くせずに、除霜を確実に終了させることができる（除霜時間短縮により、全体のＣＯＰについて、約２％改善が期待できる）。これにより、除霜運転に係る冷媒回路について、通常運転への復帰を早めることができ、装置全体としても運転効率を高めることができる。
【００２４】
図４は制御装置５０が交互除霜において行う処理のフローチャートを表す図である。次に図４に基づいて交互除霜における給湯ユニット１００の動作等について説明する。制御装置５０は、例えばタイマによって各冷媒回路の除霜運転終了後の運転時間を計時している。除霜運転終了後からの運転時間が所定時間に達したものと判断すると（Ｓ１、Ｓ１１）、その冷媒回路における四方切り替え弁１２を切り替える等の制御を行い、冷媒回路を構成する機器に対して除霜運転をさせる（Ｓ２）。ここで、例えば、センサ等により熱源側熱交換器１６に付いた霜の状態を判断し、その判断に基づいて除霜運転の開始を判断するようにしてもよい。ここで、制御装置５０は、２つの冷媒回路が同時に除霜運転を行わないように調整する。本実施の形態では、冷媒回路Ａが所定時間に達したものとして除霜運転を行い、冷媒回路Ｂにおいて給湯運転を継続して行うものとして説明する。
【００２５】
図５は除霜運転時の熱交換器における温度変化を表す図である。図５に示す温度は、温度センサ１５が検出する温度（熱源側熱交換器１６に流入したホットガスが流出する側における冷媒の温度。以下、熱交換器出口温度という）を表している。
【００２６】
例えば図５（ｂ）に示す昇温段階Ａでは、熱源側熱交換器１６にホットガスを通過させることにより、所定温度（基本的には霜の融点（氷点。約０℃）近辺となる）まで熱交換器出口温度が上昇する。そして、霜氷融解段階Ｂにおいては、ホットガスと霜とが熱交換することで霜に供給する熱量が安定するため、熱交換器出口温度が所定温度で一定となる。以上の段階までは、熱源側熱交換器１６を覆う霜により、熱源側熱交換器１６の周囲雰囲気が攪拌されても除霜運転にはほとんど影響しない。
【００２７】
熱交換器過熱段階Ｃになると、霜の大部分が融けて露等となって滴下し、フィン等が露出した熱源側熱交換器１６と周囲雰囲気とが直接接することとなる。このとき、周囲雰囲気が攪拌されていると、攪拌に係る空気にホットガスの熱量を奪われて、熱源側熱交換器１６の温度上昇速度が遅くなる。このため、干渉（小）のように、制御装置５０が熱交換器出口温度が除霜終了検知温度に達したものと判断するまでの時間が長くなる。場合によっては、干渉（大）のように、除霜終了検知温度に達しない状態（除霜が完了していない状態）で除霜運転を終了しなければならなくなる可能性もある。
【００２８】
そこで、制御装置５０は、温度センサ１５Ａからの温度信号に基づいて、霜氷融解段階Ｂが終了し、熱交換器過熱段階Ｃに遷移したかどうかを判断する（Ｓ３）。遷移したものと判断すると、次に、給湯運転を行っている冷媒回路Ｂに係る判断を行う。
【００２９】
本実施の形態では、制御装置５０が冷媒回路Ａ、冷媒回路Ｂの運転制御をしているために必要がないが、例えば、他に熱交換ユニットを有する装置、ユニット等が設置されている場合には、制御装置５０はユニット間通信線６０を介して、除霜運転を行っている旨の信号を送る。そして、給湯運転を行っている熱交換ユニットにおいては、場合によっては、信号を受信すると、除霜に係る熱源側熱交換器１６と隣接、近接しているかどうかを判断し、抑制制御を行うか否かを判断するようにしてもよい。
【００３０】
図６は運転時間と能力との関係を表す図である。図６では、除霜運転を終了して着霜していない状態から給湯運転を開始した運転時間と水への加熱能力との関係を表している。図６に示すように、運転時間が長くなるほど、熱源側熱交換器１６に付く霜の堆積量が多くなるため、熱源側熱交換器１６を通過しようとする空気に対する風路抵抗が大きくなり風量が低下することとなる。そこで、制御装置５０は給湯運転を行っている冷媒回路Ｂについて、所定時間の３／４以上運転を行っているかどうかを判断する（Ｓ１２）。所定時間の３／４以上の運転を行っていると判断すると、着霜によってすでに風量が低下しているものとして、制御変更を行うことなく給湯運転を継続する。一方、運転時間が所定時間の３／４以上でない（３／４より少ない）と判断すると、可変式送風機１７Ｂの回転数を抑えて駆動させる抑制制御を行う（Ｓ１３）。この制御により、除霜に係る熱源側熱交換器１６に対する風の干渉が少なくなるようにして、温度センサ１５Ａの検出に係る温度が、よりはやく除霜終了検知温度に達する（除霜が完了する）ようにする。
【００３１】
そして、熱源側熱交換器１６Ａの熱交換器出口温度を検知している温度センサ１５Ａからの温度信号に基づいて、制御装置５０は、除霜終了検知温度に達したものと判断すると、四方切り替え弁１２Ａに切り替えを行わせる等して冷媒回路Ａに除霜運転を終了させる（Ｓ４）。さらに、冷媒回路Ｂに対しては、抑制制御を解除し、可変式送風機１７Ｂの回転数を変化させて通常の給湯運転を行わせる（Ｓ１４）。また、例えば、他の熱交換ユニットが設置されている場合には、制御装置５０はユニット間通信線６０を介して、除霜運転終了の旨の信号を送る。ここで、抑制制御を行っていない場合には、解除処理を行わない。
【００３２】
以上のように、実施の形態１の給湯ユニット１００では、複数の冷媒回路が連携して交互除霜を行う際、除霜運転を行っている冷媒回路に隣接等して給湯運転を行っている冷媒回路において、熱交換器過熱段階Ｃになると給湯運転に係る可変式送風機１７の回転数を変化させて風量を抑え（例えば通常の給湯運転時の約７０％）、除霜運転を行っている冷媒回路の熱源側熱交換器１６の周囲雰囲気を拡散しないようにするようにしたので、除霜運転をはやく終了し、通常の給湯運転を行うことができる。このため、装置全体として効率のよい運転を行うことができる。
【００３３】
例えば実施の形態１の給湯ユニット１００のように、省スペース性を狙い、複数の筐体２００を近接させるように設置しても効率よく交互除霜を行うことができる。また、他の冷媒回路に係る可変式送風機１７による風を遮断するためのパネル等の部材の準備、設置作業等を行う手間を省くことができ、設置時間の短縮、コスト削減をはかることができる。
【００３４】
また、除霜運転において、周囲雰囲気の変化の影響が大きい熱交換器過熱段階Ｃとなったものと判断すると、制御装置５０が可変式送風機１７の回転数を変化させるようにしたので、除霜運転の運転時間の短縮を図りつつ、抑制制御を行う時間をできる限り短くすることで、給湯運転を行っている冷媒回路の運転効率をできる限り維持することができる。
【００３５】
ここで、例えば、本実施の形態における筐体２００では、可変式送風機１７の駆動により、上方向に向けて熱源側熱交換器１６を通過した空気を吹出す（上吹き）構造となるようにしているが、他の熱源側熱交換器１６の周囲雰囲気を攪拌しやすい横方向に向けて空気を吹出す構造の熱交換ユニットに対して、特に有効である。
【００３６】
実施の形態２．
上述の実施の形態１においては、給湯ユニット１００の同一架台に２台の筐体２００を有し、各筐体２００内に、それぞれ独立した冷媒回路を構成する機器を収容する場合について説明したが、この形態に限定するものではない。同一架台に３以上の冷媒回路を構成する機器を有するようにし、交互除霜を行えるようにしているユニットにしてもよい。また、例えば、冷媒回路を１つとして、冷媒回路には、除霜を必要とする複数の熱源側熱交換器１６を有する構成にしてもよい。
【００３７】
また、上述の実施の形態では、水を加熱して給湯を行うための給湯ユニット１００について説明したが、例えば交互除霜を行う冷凍空調装置等にも適用することができる。
【００３８】
実施の形態３．
上述の実施形態１では、給湯ユニット１００に備えた２つの冷媒回路間で、交互除霜を行う場合について説明した。これを複数の給湯ユニット１００を備える場合についても適用することができる。
【００３９】
例えば、除霜運転を行おうとする冷媒回路を有する給湯ユニット１００の制御装置５０は、ユニット間通信線６０を介して除霜運転開始信号を送信する。また、除霜運転を終了する際には、除霜運転終了信号を送信する。そして、除霜運転開始信号を受けた制御装置５０は、図４のＳ２に示すような所定時間に係る判断に基づいて抑制制御を行う。また、抑制制御を行っている制御装置５０は除霜運転終了信号に基づいて通常の給湯運転における制御を行う。
【００４０】
ここで、有線であるユニット間通信線６０を用いて通信する代わりに、ユニット間を無線通信できるようにしてもよい。有線は通信の信頼性が高いが、一方で、無線通信にすることによって、信号通信できる範囲の熱交換ユニットを、近接するユニットとみなすことができる。このため、例えば除霜に係る熱交換ユニットが近接しているか否かの判断を行わなくてもよくなる。
【００４１】
実施の形態４．
上述した実施の形態では、冷媒回路を構成する各機器を１つの筐体２００に収容し、給湯装置に適用する給湯ユニット１００について説明したが、これに限定するものではない。例えば、負荷側熱交換器１３を別のユニットの構成機器とし、熱源側熱交換器１６と分離した冷凍空調装置等のようなセパレート式の装置においても、同様な効果を得ることができる。
【００４２】
実施の形態５．
上述の実施の形態では、各冷媒回路において蒸発器となる熱交換器の除霜運転を行う交互除霜について説明したが、これに限定する必要はない。例えば冷凍装置が設置されたシステムにおいて、冷凍装置のように熱源側熱交換器１６が常に凝縮器として機能する場合には、除霜運転を行う必要がない。ただ、例えば他の冷媒回路が除霜運転中に抑制制御を行うようにすることで、除霜運転時間を長くすることなく、システム全体の効率を高めることができる。
【００４３】
実施の形態６．
上述の実施の形態では、給湯ユニット１００について説明したが、例えば交互除霜を行うユニットクーラ（負荷側装置）等、除霜を行う必要がある熱交換器を有するユニット（熱交換ユニット）についても適用することができる。
【００４４】
図７は本発明の実施の形態６に係る負荷側装置３００の構成を表す図である。図７において、図２等と同じ番号を付している機器等については同様の動作を行う。負荷側可変式送風機１８は、可変式送風機１７と同様に、負荷側熱交換器１３における冷媒と空気との熱交換を促すために駆動して負荷側熱交換器１３に空気を送り込む。負荷側可変式送風機１８は、送風機制御線３１を介して、集中コントローラ５１からの指示信号に基づいて、例えばインバータ回路等によって駆動周波数を変化させてプロペラファンの回転数を変化させる。温度センサ１９は、本実施の形態においては、除霜運転時において負荷側熱交換器１３を通過した冷媒の温度を検出し、温度信号を送信する。温度センサ１５の検出に係る温度信号は、温度センサ伝送線３０を介して集中コントローラ５１に送られる。
【００４５】
集中コントローラ５１は、負荷側装置３００を構成する各機器の制御を行う。ここで、集中コントローラ５１は複数の負荷側装置３００に対する制御を行うことができる。また、例えば、上位コントローラ通信線７０を介して別の管理装置等と通信を行うこともできる。本実施の形態では、実施の形態１における制御装置５０と同様の処理を行い、熱交換器過熱段階Ｃになると負荷側可変式送風機１８の回転数を所定数以下に抑え、除霜運転を行っている負荷側装置３００の周囲雰囲気を拡散しないようにする。
【００４６】
このようにして、例えば同一室内に設置した複数台の負荷側装置３００において、交互除霜を行う場合でも、除霜運転をはやく終了することができ、通常の運転を行うことができる。このとき、熱交換器過熱段階Ｃとなったときに、負荷側可変式送風機１８の回転数を変化させることで、除霜運転の運転時間の短縮を図りつつ、通常の運転における効率を維持することができる。
【００４７】
実施の形態７．
上述の実施の形態１においては、温度センサ１５の検出に係る温度に基づいて、制御装置５０は除霜運転時の熱源側熱交換器１６における段階を判断して抑制制御に係るタイミングを判断するようにしたが、これに限定するものではない。例えば、上述の実施の形態では熱交換器過熱段階Ｃにおいて可変式送風機１７の回転数を抑えるようにしているが、霜氷融解段階Ｂから熱交換器過熱段階Ｃへ遷移したことを実験的、計算的に得られれば、例えば計時手段による計時により、熱交換器における霜の状態を判断するようにしてもよい。
【００４８】
また、熱源側熱交換器１６等に光学センサ等を設け、霜の厚さ、霜が融けた露等による熱交換器表面の光の強さの変化に基づいて熱交換器における霜の状態を判断するようにしてもよい。光学センサは、光により熱交換器表面をより直接的に監視することができるため、温度センサ１５によりもはやい時点（熱交換器を空気が通過するようになった時点）で制御装置５０に信号を送ることができる。
【００４９】
また、例えば、所定の温度においてスイッチが切り替わり、切り替わりに応じた信号を発する温度スイッチを設けるようにしてもよい。例えば図６に示すように熱交換器過熱段階Ｃになると、霜の融解がなくなるため、熱交換器における温度が上昇する。そこで、温度スイッチにおける切り替え温度を例えば０℃等に設定しておくようにし、制御装置５０は、温度スイッチからの信号に基づいて、運転を継続する冷媒回路の可変式送風機１７に対する抑制制御を行うかどうかを判断する。温度スイッチを用いることで、センサ等を用いるよりも安価に除霜段階の検出等を行うことができる。
【００５０】
実施の形態８．
図８は本発明の実施の形態８に係る熱交換ユニットの設置形態を表す図である。図８（ａ）は、実施の形態１のように、１つの架台に２台の熱交換ユニットの場合を示す。空気は筐体２００の側面側から吸い込まれ、上面側から吹き出す。
【００５１】
図８（ｂ）は、実施の形態３のように、複数台の熱交換ユニットにおける関係を示す。また、図８（ｃ）は、実施の形態５のように、除霜を行う必要がないユニットとの関係を示す。以上のように、さまざまな形態で熱交換ユニットが複数台設置されるようなシステムにおいても同様の効果を得ることができる。
【００５２】
実施の形態９．
上述の実施の形態では、制御装置５０等は、除霜に係る熱交換器の周囲に位置する可変式送風機１７等については、特に条件を付けることなく抑制制御を行うことについて説明した。本実施の形態では、制御装置５０が、抑制制御を行うか否かを学習等を行うことにより選択できるようにするものである。
【００５３】
例えば、制御装置５０が記憶装置（図示せず）を有し、外気温度の温度帯域と標準除霜時間とを関連付けたデータをあらかじめ記憶する。そして、例えば、図４のＳ１等に示すように、除霜運転を行う判断をした際、外気温度を検出するための温度センサ等（図示せず）が検出した外気温度に基づいて標準除霜時間を設定する。
【００５４】
除霜運転が標準除霜時間よりも長くなったものと判断すると、次回の除霜運転の際には、例えば除霜運転を行っている旨の信号を送り、給湯運転に係る可変式送風機１７等に対して抑制制御が行われるようにする。一方、除霜運転が標準除霜時間以内で終了したものと判断すると、次回の除霜運転の際には、例えば除霜運転を行っている旨の信号を送らないようにして、給湯運転に係る可変式送風機１７等に対して抑制制御が行われないようにする。
【００５５】
以上のようにすることで、定めた標準除霜時間により、場合によっては抑制制御を実行しないようにすることで、装置（システム）全体として運転効率を高めることができる。
【符号の説明】
【００５６】
１１，１１Ａ，１１Ｂ  圧縮機、１２，１２Ａ，１２Ｂ  四方切り替え弁、１３，１３Ａ，１３Ｂ  負荷側熱交換器、１４，１４Ａ，１４Ｂ  膨張弁、１５，１５Ａ，１５Ｂ，１９  温度センサ、１６，１６Ａ，１６Ｂ  熱源側熱交換器、１７，１７Ａ，１７Ｂ  可変式送風機、１８  負荷側可変式送風機、３０，３０Ａ，３０Ｂ  温度センサ伝送線、３１，３１Ａ，３１Ｂ  送風機制御線、５０  制御装置、５１  集中コントローラ、６０  ユニット間通信線、７０  上位コントローラ通信線、１００  給湯ユニット、２００，２００Ａ，２００Ｂ  筐体、３００，３００Ａ，３００Ｂ  負荷側装置。
【図２】
2012067983.tif 000003
【図３】
2012067983.tif 000004
【図４】
2012067983.tif 000005
【図５】
2012067983.tif 000006
【図６】
2012067983.tif 000007
【図７】
2012067983.tif 000008
【図１】
2012067983.tif 000009
【図８】
2012067983.tif 000010